(57)【特許請求の範囲】
【請求項１】
ロ字状をなしエレベーターの複数の主索に吊持され、上記エレベーターの昇降路に立設された案内レールの相互間に配置された枠体と、
この枠体内に積み重ね状態に配置されたおもり片の最上段に配置されて、上記主索の各々に連結されて上記枠体の上枠に挿通された複数の引き止め具の各々の下端対応位置に複数の引退部が形成され、その上面が上記引き止め具の下端に下方から近接した上部おもり片と
を備えたエレベーター用つり合おもり装置。
【請求項２】
上記枠体の四隅にそれぞれ装着されて上記枠体の側面に対向して配置された係合部が上記案内レールに移動可能に係合した案内具と、この案内具と一体的に構成されて上記枠体の上下方向の端面に着脱自在に締結された取付体とを備えたことを特徴とする請求項１記載のエレベーター用つり合おもり装置。
【請求項３】
案内具を、係合部と、この係合部に直交して設けられた取付体と、上記係合部及び取付体とを連結して設けられた補強板とを有するものとし、枠体の上側において上枠の両端部及び縦枠の上端部に設けられた溝状の切欠部に上記補強板を嵌合して上記案内具を装着し、上記枠体の下側において下枠の両端部及び上記縦枠の下端部に設けられた溝状の切欠部に上記補強板を嵌合して上記案内具を装着したことを特徴とする請求項２記載のエレベーター用つり合おもり装置。
【発明の詳細な説明】
【０００１】
【発明の属する技術分野】
この発明は、主索に連結されたかご及びつり合おもりが互いに反対方向へ昇降するトラクション式エレベーターに設けられるエレベーター用つり合おもり装置に関する。
【０００２】
【従来の技術】
図９〜図１１は、従来のエレベーター用つり合おもり装置を示す図で、図９はエレベーターを概念的に示す立面図、図１０は図９のつり合おもり装置を拡大して示す正面図、図１１は図１０のＡ−Ａ線断面を拡大して示す図で後述する案内具２２は実線で示してある。図において、１は昇降路、２は昇降路１の所定経路を昇降するかごである。
【０００３】
３は昇降路１に立設された案内レール４の相互間に配置されたつり合おもりで、上枠５、下枠６及び縦枠７が組立てられてロ字状をなす枠体８、枠体８内に積み重ね状態に載置されたおもり片９並びに枠体８の四隅にそれぞれ装着されて枠体８の上下方向の端面から上方又は下方に突出して配置された係合部１０が案内レール４に移動可能に係合すると共に係合部１０と一体的に構成された取付体１１がボルトからなる締結具１２によって対向した枠体８部材に着脱自在に締結された案内具１３によって構成されている。
【０００４】
１４は昇降路１の上端部に装着された巻上機、１５は滑車で、昇降路１の上端部に枢着されて巻上機１４の側方であってつり合おもり３の直上位置に配置されている。１６は一端がかご２に連結されて巻上機１４及び滑車１５に巻掛けられて下垂して配置された主索である。
【０００５】
１７は引き止め具で、上端が主索１６の他端に連結されてつり合おもり３の上枠５に挿通された引き止め棒１８、引き止め棒１８の下端にねじ込まれたナット１９及び引き止め棒１８に嵌合されて上枠５とナット１９の間に配置されて圧縮コイルばね２０によって構成されている。２１は昇降路１の底面に立設されてつり合おもり３の下面に対向して配置された緩衝器である。
【０００６】
なお、２２は案内具の装着状況を説明するために記載した他の案内具で、つり合おもり３の縦枠７の側面に配置されて溝を有する係合部２３が案内レール４に移動可能に係合し、ボルト２４によって縦枠７の側面に着脱自在に締結されている。
【０００７】
また、図９及び図１０において、Ｈはエレベーターの昇降行程、Ｉはつり合おもり３の高さ、Ｊは昇降路１のピット深さ、Ｋは枠体８の上下方向端面からの案内具１３の突出寸法、Ｌは緩衝器２１のばねの圧縮高さ、Ｍはおもり片９の上面と引き止め棒１８の下端との空隙寸法である。
【０００８】
従来のエレベーター用つり合おもり装置は上記のように構成され、図９に示すエレベーターにおいて巻上機１４が付勢されると主索１６を介してかご２及びつり合おもり３が互いに反対方向へ昇降する。また、つり合おもり３の案内具１３が枠体８の上下方向端面から突出して設けられている。
【０００９】
このため、つり合おもり３が上昇して最上昇位置に達したときの案内具１３の上端位置に対応して、案内レール４の上端位置及び昇降路１の天井位置が設定される。また、つり合おもり３が下降して緩衝器２１を圧縮した最下降位置に達したとき（図１０に示す状態のとき）の案内具１３の下端位置に対応して案内レール４の下端位置及びピット深さＪが設定される。
【００１０】
【発明が解決しようとする課題】
上記のような従来のエレベーター用つり合おもり装置において、つり合おもり３の案内具１３が枠体８の上下方向端面から突出して設けられているので、つり合おもり３の高さＩが高くなる。また、主索１６の経年伸び、複数本の主索１６の張力調整のためにナット１９をねじ込む必要があっておもり片９の上面と引き止め棒１８の下端との空隙寸法Ｍが設定される。
【００１１】
そして、この空隙寸法Ｍによってもつり合おもり３の高さＩが増大する。これらのため、つり合おもり３が上昇して最上昇位置に達したときの案内具１３の上端位置が高くなる。したがって、案内レール４の上端位置及び昇降路１の天井位置を高くする必要がある。
【００１２】
また、つり合おもり３が下降して緩衝器２１を圧縮した最下降位置に達したときの案内具１３の下端位置が低くなる。したがって、案内レール４の下端位置の下方延長及びピット深さＪを深くする必要がある。これらの理由によって高い昇降路１や長い案内レール４を要するため、昇降路１の設置費用やエレベーターの製作の費用が嵩むという問題点があった。
【００１３】
なお、つり合おもり３の高さＩを低くするために、図１０に示すようにつり合おもり３の縦枠７の側面に案内具２２をボルト２４によって締結する構成が考えられる。しかし、縦枠７の側面に接近して案内レール４が配置されるので、ボルト２４による締結が困難であり、また案内具２２を交換することは不可能に近いという問題点がある。
【００１４】
この発明は、かかる問題点を解消するためになされたものであり、高さの低い昇降路に容易に設置できるエレベーター用つり合おもり装置を得ることを目的とする。
【００１５】
【課題を解決するための手段】
この発明に係るエレベーター用つり合おもり装置においては、ロ字状をなしエレベーターの複数の主索に吊持され、エレベーターの昇降路に立設された案内レールの相互間に配置された枠体と、この枠体内に積み重ね状態に配置されたおもり片の最上段に配置されて、主索の各々に連結されて枠体の上枠に挿通された複数の引き止め具の各々の下端対応位置に複数の引退部が形成され、その上面が引き止め具の下端に下方から近接した上部おもり片とが設けられる。
【００１６】
また、この発明に係るエレベーター用つり合おもり装置においては、枠体の四隅にそれぞれ装着されて枠体の側面に対向して配置された係合部が案内レールに移動可能に係合した案内具と、この案内具と一体的に構成されて枠体の上下方向の端面に着脱自在に締結された取付体とが設けられる。
【００１７】
また、この発明に係るエレベーター用つり合おもり装置においては、係合部と、この係合部に直交して設けられた取付体と、係合部及び取付体とを連結して設けられた補強板とを有する案内具が設けられ、枠体の上側において上枠の両端部及び縦枠の上端部に設けられた溝状の切欠部に補強板を嵌合して案内具が装着され、枠体の下側において下枠の両端部及び縦枠の下端部に設けられた溝状の切欠部に補強板を嵌合して案内具が装着される。
【００１８】
【発明の実施の形態】
実施の形態１．
図１〜図３は、この発明の実施の形態の一例を示す図で、図１は正面図、図２は図１の要部を拡大し、かつ分解して示す斜視図、図３は図１の下部おもり片の拡大斜視図である。なお、図１〜図３の他は前述の図９〜図１１と同様にエレベーターが構成されている。図において、３は昇降路１に立設された案内レール４の相互間に配置されたつり合おもりで、次に述べるように構成されている。
【００１９】
すなわち、上枠５、下枠６及び縦枠７が組立てられてロ字状をなす枠体８、下枠６内に載置されて長手両端の下面から端部側が上昇した斜面２５が設けられた下部おもり片２６及び下部おもり片２６の上に積み重ね状態に載置されて枠体８内に配置されたおもり片９が設けられる。さらに、つり合おもり３には、枠体８の四隅にそれぞれ次に述べる案内具２７が装着される。
【００２０】
すなわち、案内具２７は、つり合おもり３の枠体８の側面すなわち縦枠７の側面に対向して配置されて案内レール４に移動可能に係合した係合部２８、この係合部２８と一体的に構成されて枠体８の上下方向の端面すなわち上枠５の上面又は下枠６下面に重合して配置された取付体２９、係合部２８背面と取付体２９とを連結して設けられた補強板３０及び取付体２９に挿通されて対向した枠体８部材にねじ込まれたボルトからなる締結具３１とによって構成されている。
【００２１】
３２は上枠５の両端部上面及び下枠６の両端部下面に設けられて案内具２７の補強板３０が空隙を形成して嵌合する切欠部、３３は縦枠７の上下方向の端部に設けられて案内具２７の補強板３０が空隙を形成して嵌合する切欠部、１７は引き止め具で、上端が主索１６の他端に連結されてつり合おもり３の上枠５に挿通された引き止め棒１８、引き止め棒１８の下端にねじ込まれたナット１９及び引き止め棒１８に嵌合されて上枠５とナット１９の間に配置されて圧縮コイルばね２０によって構成されている。
【００２２】
上記のように構成されたエレベーター用つり合おもり装置において、前述の図９に示すエレベーターと同様にエレベーターが構成されて、巻上機１４が付勢されると主索１６を介してかご２及びつり合おもり３が互いに反対方向へ昇降する。また、つり合おもり３の案内具１３が次に述べるようにして枠体８に装着される。
【００２３】
すなわち、枠体８の四隅に設けられた案内具２７のうち枠体８の下側に装着された案内具２７において、補強板３０が下枠６の切欠部３２、縦枠７の切欠部３３に嵌合されて、下部おもり片２６の斜面２５に対向して配置される。また、枠体８の上側に装着された案内具２７において、補強板３０が上枠５の切欠部３２、縦枠７の切欠部３３に嵌合されて配置される。
【００２４】
これにより、案内レール４に移動可能に係合した案内具２７の係合部２８が枠体８の側面に対向して配置される。また、取付体２９が上枠５の上面又は下枠６の下面、すなわち枠体８の上下方向端面に重合されて締結具３１によって着脱自在に枠体８に締結される。
【００２５】
このため、案内具２７における枠体８の上下方向端面からの突出寸法が減少し、つり合おもり３の前述の高さＩが低くなる。このため、つり合おもり３が上昇して最上昇位置に達したときの案内具１３の上端位置が低くなり、案内レール４の上端位置及び昇降路１の天井位置を低くすることができる。
【００２６】
また、つり合おもり３が下降して緩衝器２１を圧縮した最下降位置に達したときの案内具２７の下端位置が高くなる。したがって、案内レール４の下端位置の下方延長の必要がなく、またピット深さＪを浅くすることができる。
これによって、高さの低い昇降路１に容易にエレベーターを設置することができ、昇降路１が低くなり、また案内レール４が短くなって昇降路１の設置費用、エレベーターの製作の費用を節減することができる。
【００２７】
実施の形態２．
図４は、この発明の他の実施の形態の一例を示す前述の図３相当図である。なお、図４の他は前述の図１〜図３と同様にエレベーターが構成されている。図において、図１〜図３と同符号は相当部分を示し、３４は下部おもり片で、下枠６内に載置されて長手両端の下面から端部側が上昇した溝状斜面３５が設けられている。
【００２８】
上記のように構成されたエレベーター用つり合おもり装置においても、案内具２７の補強板３０が上枠５及び下枠６の切欠部３２、縦枠７の切欠部３３並びに下部おもり片３４の溝状斜面３５に嵌合されて、案内レール４に移動可能に係合した係合部２８が枠体８の側面に対向して配置される。したがって、詳細な説明を省略するが図４の実施の形態においても図１〜図３の実施の形態と同様な作用を得ることができる。
【００２９】
実施の形態３．
図５も、この発明の他の実施の形態の一例を示す前述の図３相当図である。なお、図５の他は前述の図１〜図３と同様にエレベーターが構成されている。図において、図１〜図３と同符号は相当部分を示し、３６は下部おもり片で、下枠６内に載置されて長手両端の端面から引退して設けられて上下方向に配置された嵌合溝３７が設けられている。
【００３０】
上記のように構成されたエレベーター用つり合おもり装置においても、案内具２７の補強板３０が上枠５及び下枠６の切欠部３２、縦枠７の切欠部３３並びに下部おもり片３６の嵌合溝３７に嵌合されて、案内レール４に移動可能に係合した係合部２８が枠体８の側面に対向して配置される。したがって、詳細な説明を省略するが図５の実施の形態においても図１〜図３の実施の形態と同様な作用を得ることができる。
【００３１】
実施の形態４．
図６及び図７も、この発明の他の実施の形態の一例を示す図で、図６は正面図、図７は図６の最上段に載置された上部おもり片の拡大斜視図である。なお、図６及び図７の他は前述の図９〜図１１と同様にエレベーターが構成されている。図において、図９〜図１１と同符号は相当部分を示し、３８はおもり片９の最上段に載置された上部おもり片で、引き止め具１７の引き止め棒１８の下端対応位置に配置された貫通孔からなる引退部３９が設けられている。
【００３２】
上記のように構成されたエレベーター用つり合おもり装置において、上部おもり片３８に引退部３９が設けられているので、主索１６の経年伸び等によってナット１９をねじ込んだときに、下降する引き止め棒１８の下端を引退部３９に収容することができる。これにより、上部おもり片３８の上面と引き止め棒１８の下端との図６に示す空隙寸法Ｎを短くしても、おもり片９の上面と引き止め棒１８の下端との図６に示す空隙寸法Ｍを確保することができる。
【００３３】
このため、つり合おもり３の図６に示す高さＩを低くすることができ、高さの低い昇降路１に容易にエレベーターを設置することができる。したがって、詳細な説明を省略するが図６及び図７の実施の形態においても図１〜図３の実施の形態と同様な作用を得ることができる。
【００３４】
実施の形態５．
図８も、この発明の他の実施の形態の一例を示す前述の図７相当図である。なお、図８の他は前述の図９〜図１１と同様にエレベーターが構成されている。図において、図６及び図７と同符号は相当部分を示し、４０はおもり片９の最上段に載置された上部おもり片で、複数本の引き止め具１７の引き止め棒１８の下端位置に対応して配置された凹所からなる引退部４１が設けられている。
【００３５】
上記のように構成されたエレベーター用つり合おもり装置において、上部おもり片４０に引退部４１が設けられているので、主索１６の経年伸び等によってナット１９をねじ込んだときに下降する引き止め棒１８の下端を引退部４１に収容することができる。これにより、つり合おもり３の図６に示す高さＩを低くすることができるので、詳細な説明を省略するが図８の実施の形態においても図６及び図７の実施の形態と同様な作用を得ることができる。なお、引退部４１は貫通穴であっても良い。
【００３６】
【発明の効果】
この発明は以上説明したように、ロ字状をなしエレベーターの複数の主索に吊持され、エレベーターの昇降路に立設された案内レールの相互間に配置された枠体と、この枠体内に積み重ね状態に配置されたおもり片の最上段に配置されて、主索の各々に連結されて枠体の上枠に挿通された複数の引き止め具の各々の下端対応位置に複数の引退部が形成され、その上面が引き止め具の下端に下方から近接した上部おもり片とを設けたものである。
【００３７】
これによって、主索の経年伸び等を引き止め具を引き込んで調整する場合に、引き止め具の下端側を上部おもり片の引退部に収容することができる。これにより、上部おもり片の上面と引き止め具の下端側との空隙を少なくしても、引き止め具の下端の下降用空隙を確保することができる。したがって、つり合おもりの高さを低くすることができ、つり合おもりが上昇して最上昇位置に達したときの案内具の上端位置が低くなり、案内レールの上端位置及び昇降路の天井位置を低くすることができる。また、つり合おもりが下降して緩衝器を圧縮した最下降位置に達したときの案内具の下端位置が高くなる。したがって、案内レールの下端位置の下方延長の必要がなく、また昇降路のピットを浅くすることができ、高さの低い昇降路に容易にエレベーターを設置することができる。これにより、昇降路を低くでき、また案内レールを短くすることができて昇降路の設置費用、エレベーターの製作費用を節減する効果がある。
【００３８】
また、この発明は以上説明したように、枠体の四隅にそれぞれ装着されて枠体の側面に対向して配置された係合部が案内レールに移動可能に係合した案内具と、この案内具と一体的に構成されて枠体の上下方向の端面に着脱自在に締結された取付体とを設けたものである。
【００３９】
これによって、案内具における枠体の上下方向端面からの突出寸法が減少してつり合おもりの高さが低くなる。このため、つり合おもりが上昇して最上昇位置に達したときの案内具の上端位置が低くなり、案内レールの上端位置及び昇降路の天井位置を低くすることができる。また、つり合おもりが下降して緩衝器を圧縮した最下降位置に達したときの案内具の下端位置が高くなる。したがって、案内レールの下端位置の下方延長の必要がなく、また昇降路のピットを浅くすることができ、高さの低い昇降路に容易にエレベーターを設置することができる。これにより、昇降路を低くでき、また案内レールを短くすることができて昇降路の設置費用、エレベーターの製作費用を節減する効果がある。
【００４０】
また、この発明は以上説明したように、案内具を、係合部と、この係合部に直交して設けられた取付体と、係合部及び取付体とを連結して設けられた補強板とを有するものとし、枠体の上側において上枠の両端部及び縦枠の上端部に設けられた溝状の切欠部に補強板を嵌合して案内具を装着し、枠体の下側において下枠の両端部及び縦枠の下端部に設けられた溝状の切欠部に補強板を嵌合して案内具を装着したものである。
【００４１】
これによって、案内具における枠体の上下方向端面からの突出寸法が減少してつり合おもりの高さが低くなる。このため、つり合おもりが上昇して最上昇位置に達したときの案内具の上端位置が低くなり、案内レールの上端位置及び昇降路の天井位置を低くすることができる。また、つり合おもりが下降して緩衝器を圧縮した最下降位置に達したときの案内具の下端位置が高くなる。したがって、案内レールの下端位置の下方延長の必要がなく、また昇降路のピットを浅くすることができ、高さの低い昇降路に容易にエレベーターを設置することができる。これにより、昇降路を低くでき、また案内レールを短くすることができて昇降路の設置費用、エレベーターの製作費用を節減する効果がある。
【図面の簡単な説明】
【図１】  この発明の実施の形態１を示す正面図。
【図２】  図１の要部を拡大し、かつ分解して示す斜視図。
【図３】  図１の下部おもり片の拡大斜視図。
【図４】  この発明の実施の形態２を示す前述の図３相当図。
【図５】  この発明の実施の形態３を示す前述の図３相当図。
【図６】  この発明の実施の形態４を示す正面図。
【図７】  図６の最上段に載置された上部おもり片の拡大斜視図。
【図８】  この発明の実施の形態５を示す前述の図７相当図。
【図９】  従来のエレベーター用つり合おもり装置を示す図で、エレベーターを概念的に示す立面図。
【図１０】  図９のつり合おもり装置を拡大して示す正面図。
【図１１】  図１０のＡ−Ａ線断面を拡大して示す図。
【符号の説明】
１  昇降路、４  案内レール、５  上枠、６  下枠、７  縦枠、８  枠体、９おもり片、１６  主索、１７  引き止め具、２７  案内具、２８  係合部、２９  取付体、３０  補強板、３２  切欠部、３３  切欠部、３８  上部おもり片、３９  引退部。
【図１】
0004318792.tif 000002
【図２】
0004318792.tif 000003
【図３】
0004318792.tif 000004
【図４】
0004318792.tif 000005
【図５】
0004318792.tif 000006
【図６】
0004318792.tif 000007
【図７】
0004318792.tif 000008
【図８】
0004318792.tif 000009
【図９】
0004318792.tif 000010
【図１０】
0004318792.tif 000011
【図１１】
0004318792.tif 000012